(57)【要約】【課題】  台座の締付け不足や、穿孔時の振動、他の外力などにより台座の締付けの緩みが発生した場合でも、活管分岐継手の内圧により台座、シャッターが活管分割継手から外れるのを防止できる、活管分岐継手におけるシャッター取付装置を提供する。【解決手段】  穿孔操作口９の外周壁２８に台座係合溝４４を設け、この台座係合溝４４に台座４１の内径部４５を嵌まり込み係合させる一方、係脱手段４２を一方の分割台座４１１の他端の分割端部４１１ｂ上で縦軸５４回りに水平回動させて該係脱手段４２の貫通口５６を他方の分割台座４１２の他端の分割端部４１２ｂに対し挿入係合させることで一対の分割台座４１１，４１２の分割端部４１１ｂ，４１２ｂどうし間の開きを規制したのち台座締付用ボルト５７を締付ける。【選択図】      図４
2006283947.tif 000002
【特許請求の範囲】
【請求項１】
元管の円周一部にホールソーにより穿孔を形成するとともに前記元管と分岐管とを連通状に接続する活管分岐継手におけるシャッター取付装置であって、前記活管分岐継手が、前記ホールソーの出し入れを可能にする穿孔操作口及び分岐管接続口をそれぞれ有して、前記元管の軸方向一部を抱合しており、前記穿孔操作口の外周壁に、外周の数箇所から張出部を張出し形成された拡縮径自在な環状の台座が締め付け固定されており、前記穿孔操作口を開閉するシャッターがこれの外周の数箇所から前記張出部に対応する張出部を張出し形成していて、前記穿孔操作口の開口上端部に前記台座の上側に平行に位置するよう載置されており、前記シャッターの張出部と前記台座の張出部とが締結部材で結合されている、活管分岐継手におけるシャッター取付装置において、
前記穿孔操作口の外周壁に、前記台座の内径部が嵌まり込み係合する台座係合溝が円周方向に設けられており、
前記台座が、二箇所以上の隣接する分割端部どうしがそれぞれ連結されて前記穿孔操作口の外周壁の前記台座係合溝以外の外径より小さい前記内径部を形成する複数個の円弧状の分割台座からなり、前記二箇所以上の連結箇所のうち、少なくとも一つの連結箇所において隣接する分割端部どうしが水平回動自在に連結され、もう一つの連結箇所においては隣接する分割端部どうしが係脱手段を介して分離可能に連結されていることを特徴とする、活管分岐継手におけるシャッター取付装置。
【請求項２】
前記係脱手段が、隣接する分割端部の一方の分割端部にその長手方向一端の基部が縦軸回りに水平回動自在に取り付けられた相対向する一対の帯状の板リンクと、この両板リンクの長手方向他端の先端側どうし間に配設されたナット部材とを有し、
前記両板リンク間であって前記一方の分割端部と前記ナット部材との間に対応する箇所には両板リンクの短手方向に貫通する貫通口が形成され、この貫通口が前記両板リンクの縦軸回りの水平回動に伴い他方の分割端部に対し係脱可能に挿入係合されており、
前記ナット部材には台座締付用ボルトが前記他方の分割端部に向けて進退可能に螺合されて、該ボルトの先端部が前記他方の分割端部に当接されている、請求項１記載の活管分岐継手におけるシャッター取付装置。
【発明の詳細な説明】
【技術分野】
【０００１】
本発明は、都市ガスの埋設供給配管等の元管にホールソーにより穿孔を加えるとともに該元管と分岐管を連通状に接続する活管分岐継手において、穿孔の加工時に元管内のガス等流体が漏洩するのを防止するひとつの手段として用いられるシャッターの取付装置に関する。
【背景技術】
【０００２】
この種の活管分岐継手におけるシャッター取付装置として、先に、本出願人により、図  ８〜図１２に示すようなものを提案した（例えば、特許文献１参照。）。
その活管分岐継手３は、図８に示すように、元管１に分岐管２を接続するのに用いられるが、その接続に際しては、元管１の軸方向一部を一対の第１，２分割継手４，５で気密状に抱合するとともに、第１，２分割継手４，５同士をボルト６及びナット７で締結し、第２分割継手５の一側に開口されている分岐管接続口８に分岐管２を接続する。第２分割継手５の上部に開口されている穿孔操作口９にはホールソー１０がシャッター１９を介してセットされる。
【０００３】
シャッター１９は穿孔操作口９を開閉するシャッター板２０を水平方向にスライド自在に備えている。シャッター１９は穿孔操作口９の上側に金属製の台座２３をもって固定される。台座２３は、図１２に示すように、円周一部に切離部２４を有する拡縮径自在な環状に形成されるとともに、外周の数箇所（図示例では３箇所）から張出部２６が水平に張出し形成され、この張出部２６には図１１のように取付ボルト３２の下端部がねじ込まれるねじ孔２５が設けられ、切離部２４には縮径操作用のハンドルねじ２７が直交状に取り付けられている。
【０００４】
かくして、シャッター１９を取り付けるには、図１０、図１１に示すように、まず、台座２３を穿孔操作口９の外周壁２８に形成した段部２９上に下方移動阻止状態に嵌め込み、シャッター１９を穿孔操作口９の外周壁２８の上端部に所定向きにして載置する。次いで、シャッター１９の張出部３０の真下位置に台座２３の張出部２６が合致するように台座２３を穿孔操作口９の外周壁２８回りに回転させて上下の張出部３０，２６どうしを一致させる。しかる後、ハンドルねじ２７を締めると、台座２３は縮径されて穿孔操作口９の外周壁２８の全周にわたって締め付け固定される。最後に、シャッター１９の張出部３０のボルト通し孔３１に取付ボルト３２の上端部を通すとともに該取付ボルト３２の下端部を台座２３の張出部２６のねじ孔２５にねじ込むことによって、シャッター１９は穿孔操作口９の開口上端部に台座２３と平行に近接配置するよう固定される。
【０００５】
このようにシャッター１９の上にセットされたホールソー１０によって、図９に示すように元管１に偏心穿孔３３が形成される。その穿孔に際しては、図９のように、シャッター１９のシャッター板２０を開き位置にスライド操作したうえで、ホールソー１０を元管１の垂直中立面ＨＣＬより偏心した位置で回転させながら垂直中立面ＨＣＬに平行に下降させることにより、元管１の周壁一部を切除して元管１に偏心穿孔３３を分岐管２に臨むよう形成する。
【０００６】
【特許文献１】特開２００４−１６７６０６号公報
【発明の開示】
【発明が解決しようとする課題】
【０００７】
しかるに、このような台座２３を穿孔操作口９の外周壁２８の段部２９上に下方移動阻止状態に嵌め込み、台座２３の切離部２４に直交状に取り付けたハンドルねじ２７を締め付けることで台座２３を縮径させて第２分割継手５の外周壁２８の全周に締め付け固定する、という上記シャッター取付装置では、ハンドルねじ２７の締付力のみで台座２３を第２分割継手５の外周壁２８に固定することによって、シャッター板２０が閉じた状態下で該シャッター板２０に対し、元管１内と偏心穿孔３３を介して連通状態にある第２分割継手５内の高い内圧がかかっても台座２３、シャッター１９が第２分割継手５の外周壁２８から外れないようにしている。そのため、ハンドルねじ２７の締付け不足や、穿孔時の振動、その他の外力などによりハンドルねじ２７の締付けの緩みが発生すると、閉じシャッター板２０に第２分割継手５の内圧が作用した時に台座２３が第２分割継手５の外周壁２８を上方へ滑り移動して台座２３、シャッター１９が第２分割継手５から外れる恐れがある、という問題が発生することを知見した。
【０００８】
また、第２分割継手５の外周壁２８に台座２３を固定し、次に台座２３にシャッター１９を固定する時点で、ハンドルねじ２７による台座２３の締付け不足やハンドルねじ２７の緩みが発生していると、シャッター１９を台座２３に取付ボルト３２で締付ける際に、台座２３が第２分割継手５の外周壁２８上で上方へ動きやすいため、第２分割継手５に対しシャッター１９が所定位置に固定し難く現場施工性に劣るという不具合もあることに気付いた。
【０００９】
本発明は、上記のような問題を解決するためになされたもので、その目的とするところは、上記のような、シャッターを台座を使用して活管分割継手に取り付けるシャッター取付装置において、台座の穿孔操作口の外周壁に対する嵌め込み方、および台座の締付け手段に工夫を凝らすことにより台座の締付け不足や、穿孔時の振動、他の外力などにより台座の締付けの緩みが発生した場合でも、活管分岐継手の内圧により台座、シャッターが活管分割継手から外れるのを防止できる、活管分岐継手におけるシャッター取付装置を提供することにある。
【課題を解決するための手段】
【００１０】
本発明の前提とする活管分岐継手におけるシャッター取付装置は、元管（１）の円周一部にホールソー（１０）により穿孔（３３）を形成するとともに元管（１）と分岐管（２）とを連通状に接続する活管分岐継手（３）におけるシャッター取付装置であって、活管分岐継手（３）が、ホールソー（１０）の出し入れを可能にする穿孔操作口（９）及び分岐管接続口（８）をそれぞれ有し、元管（１）の軸方向一部を抱合しており、穿孔操作口（９）の外周壁（２８）に、外周の数箇所から張出部（５１）を張出し形成された拡縮径自在な環状の台座（４１）が締め付け固定されており、穿孔操作口（９）を開閉するシャッター（１９）がこれの外周の数箇所から前記張出部（５１）に対応する張出部（３０）を張出し形成していて、穿孔操作口（９）の開口上端部に台座（４１）の上側に平行に位置するよう載置されており、シャッター（１９）の張出部（３０）と台座（４１）の張出部（５１）とが締結部材（５２）で結合されているものである。
【００１１】
そのうえで、本発明は以下のように構成したことに特徴を有するものである。
前記穿孔操作口（９）の外周壁（２８）に、前記台座（４１）の内径部（４５）が嵌まり込み係合する台座係合溝（４４）が円周方向に設けられる。
前記台座（４１）が、二箇所以上の隣接する分割端部（４１１ａ），（４１２ａ）どうし、（４１１ｂ），（４１２ｂ）どうしがそれぞれ連結されて前記穿孔操作口（９）の外周壁（２８）の前記台座係合溝以外の外径より小さい前記内径部（４５）を形成する複数個の円弧状の分割台座（４１１），（４１２）からなり、前記二箇所以上の連結箇所のうち、少なくとも一つの連結箇所において隣接する分割端部（４１１ａ），（４１２ａ）どうしが水平回動自在に連結され、もう一つの連結箇所においては隣接する分割端部（４１１ｂ），（４１２ｂ）どうしが係脱手段（４２）を介して分離可能に連結されている。
【００１２】
ひとつの好適な態様として、本発明による活管分岐継手におけるシャッター取付装置は、前記係脱手段（４２）としては、隣接する分割端部（４１１ｂ），（４１２ｂ）の一方の分割端部（４１１ｂ）にその長手方向一端の基部が縦軸（５４）回りに水平回動自在に取り付けられた相対向する一対の帯状の板リンク（５３ａ），（５３ｂ）と、この両板リンクの長手方向他端の先端側どうし間に配設されたナット部材（５５）とを有するものとすることができる。この場合、前記両板リンク（５３ａ），（５３ｂ）間であって前記一方の分割端部（４１１ｂ）と前記ナット部材（５５）との間に対応する箇所には両板リンク（５３ａ），（５３ｂ）の短手方向に貫通する貫通口（５６）が形成され、この貫通口が前記両板リンクの縦軸（５４）回りの水平回動に伴い他方の分割端部（４１２ｂ）に対し係脱可能に挿入係合されている。前記ナット部材（５５）には台座締付用ボルト（５７）が前記他方の分割端部（４１２ｂ）に向けて進退可能に螺合されて、該ボルト（５７）の先端部が前記他方の分割端部（４１２ｂ）に当接されている。
【発明の効果】
【００１３】
上記構成のシャッター取付装置によれば、一旦係脱手段（４２）により分割端部（４１１ｂ）と分割端部（４１２ｂ）とを分離させたうえで、分割台座（４１１），（４１２）どうしを水平回動させて開き、分割台座（４１１），（４１２）の内径部（４５）を穿孔操作口（９）の外周壁（２８）の台座係合溝（４４）に合わせて分割台座（４１１），（４１２）を閉じ合わせることにより分割台座（４１１），（４１２）の内径部（４５）を台座係合溝（４４）に嵌め込み係合させることができ、次いで係脱手段（４２）により分割端部（４１１ｂ）と分割端部（４１２ｂ）とを連結させることにより分割台座（４１１），（４１２）の内径部（４５）が台座係合溝（４４）に嵌め込み係合した状態を維持することができる。
【００１４】
上記構成のシャッター取付装置は、穿孔操作口（９）の外周壁（２８）に台座係合溝（４４）を設け、この台座係合溝に台座（４１）の内径部（４５）を嵌まり込み係合させる一方、係脱手段（４２）により分割端部（４１１ｂ）と分割端部（４１２ｂ）とを連結させることで分割端部（４１１ｂ），（４１２ｂ）どうし間の開きを規制するという構造を採用した。したがって、穿孔時の振動やその他の外力により、シャッター（１９）が受ける活管分岐継手（３）の内圧により台座（４１）及びシャッター（１９）が活管分岐継手（３）から外れるようなことが無くなる。
【００１５】
台座（４１）の内径部（４５）は穿孔操作口（９）の外周壁（２８）の台座係合溝以外の外径より小さく形成し、穿孔操作口（９）の外周壁（２８）に台座係合溝（４４）を円周方向に設け、この台座係合溝（４４）に台座（４１）の内径部（４５）を嵌まり込み係合させてあるので、台座（４１）は穿孔操作口（９）の外周壁（２８）上に上方及び下方の両方向に移動が阻止される状態に取り付けられ、したがって台座（４１）にシャッター（１９）を固定する締結部材（５２）を締結する際に、台座（４１）が台座係合溝（４４）から外れることが無いので、締結部材（５２）を締結することで活管分岐継手（３）に対しシャッター（１９）を所定位置に確実に固定することができて現場施工性に優れる。
【００１６】
係脱手段（４２）としては、縦軸（５４）回りに水平回動自在に取り付けられた相対向する一対の帯状の板リンク（５３ａ），（５３ｂ）と、この両板リンクの長手方向他端の先端側どうし間に配設されたナット部材（５５）と、両板リンク（５３ａ），（５３ｂ）の短手方向に貫通する貫通口（５６）、およびナット部材（５５）に螺合された台座締付用ボルト（５７）とを有するものとすることにより、台座締付用ボルト（５７）を締付けたり、緩めたりするという簡単な操作で分割端部（４１１ｂ），（４１２ｂ）どうしを容易に連結・分離させることができて有利である。
【発明を実施するための最良の形態】
【００１７】
本発明の好適な実施形態を図１ないし図６に基づき説明する。図１は本発明の一実施例の活管分岐継手におけるシャッター取付装置をホールソーをセットした状態で示す縦断正面図、図２は図１におけるシャッター取付装置をホールソーにより元管に穿孔を形成した終了直後の状態で示す縦断正面図、図３は図１の活管分岐継手の穿孔操作口への台座、シャッターの取付け状態を示す縦断正面図、図４は図３におけるＡ−Ａ線断面図、図５は図４におけるＢ−Ｂ線断面図、図６は図４におけるＣ矢視図である。
【００１８】
本発明に係る活管分岐用継手３は、図１に示すように、一対の第１，２分割継手４，５からなって、鉄管又は鋳鉄管等による金属製又はポリエチレン等樹脂製の元管１に、ポリエチレン等樹脂製の分岐管２を接続するのに用いられる。その接続に際しては、元管１の軸方向一部を一対の第１，２分割継手４，５で気密状に抱合するとともに、第１，２分割継手４，５同士をボルト６及びナット７で締結し、第２分割継手５の一側に開口されている分岐管接続口８に分岐管２を接続する。第２分割継手５の上部に開口されている穿孔操作口９にはホールソー１０がシャッター１９を介してセットされる。
【００１９】
ホールソー１０は、下端に切削刃部１１ａを形成した円筒状本体部１１と、この円筒状本体部１１の上端に同心に一体に連設されたシャフト１２とからなる。円筒状本体部１１内には、穿孔後に、穿孔により発生する切削片３４を保持してホーソー１０と共に引き上げるのに用いられる切削片保持手段１３が備えられる。切削片保持手段１３は、円筒状本体部１１内に防振ゴムやコイルばね等の弾性部材１４を介して垂直軸１５が同心にかつ揺動自在に垂下状に取り付けられ、この垂直軸１５の下端部の定位置に硬質のゴム又は樹脂製の切削保持部材１６を取り付けてなる。ホールソー１０は穿孔カバー１７の内部に組み込まれる。穿孔カバー１７は、ホールソー１０の円筒状本体部１１の外径より大きい円筒形状に形成され、その開口上端を上蓋１８で気密状に塞いでいる。この穿孔カバー１７の内部にホールソー１０を組み込むとき、ホールソー１０のシャフト１２を上蓋１８の中央孔に回転自在にかつ軸方向に摺動自在に貫通させて上方へ突出させている。
【００２０】
図１、図３、図４に示すように、シャッター１９は穿孔操作口９を開閉するシャッター板２０を水平方向にスライド自在に備えるが、このシャッター１９は第２分割継手５の穿孔操作口９の上側に金属製の台座４１、係脱手段４２、及び締結部材５２を用いて取り付けられる。第２分割継手５の穿孔操作口９の外周壁２８には、図１０に示す段部２９に代えて、断面形状が台形や角形等の台座係合溝４４を円周方向に設ける。
【００２１】
台座４１は、図３、図４に示すように、二箇所の隣接する分割端部４１１ａ，４１２ａどうし、および４１１ｂ，４１２ｂどうしがそれぞれ連結されて拡縮径自在な環状に形成される二個の円弧状の分割台座４１１，４１２からなる。この分割台座４１１，４１２は穿孔操作口９の台座係合溝４４を有する外周壁２８の台座係合溝４４以外の外径Ｄ（図３参照）より小さい内径ｄ（図４参照）の内径部４５を有する。内径部４５の断面形状は台座係合溝４４の断面形状に対応して台形や角形に形成される。そして、前記二箇所の連結箇所のうち、一つの連結箇所において隣接する分割端部４１１ａ，４１２ａどうしがヒンジ部材４６を介して水平回動自在に連結され、もう一つの連結箇所においては隣接する分割端部４１１ｂ，４１２ｂどうしが係脱手段４２を介して分離可能に連結されている。
【００２２】
ヒンジ部材４６としては、例えば、図４、図６に示すように、分割台座４１１，４１２の隣接する分割端部４１１ａ，４１２ａどうしを２枚の板リンク４８ａ，４８ｂで挟むと共に、両板リンク４８ａ，４８ｂの両端部と分割端部４１１ａ，４１２ａとの各重合部をそれぞれヒンジピン４９，５０で水平回動自在に枢支する。分割台座４１１，４１２のそれぞれの外周から張出部５１が張出し形成され、各張出部５１には植設ボルトなどによる締結部材５２を備えている。
【００２３】
係脱手段４２は、図４、図５に示すように、分割台座４１１，４１２の隣接する分割端部４１１ｂ，４１２ｂを挟むよう相対向する一対の帯状の板リンク５３ａ，５３ｂを有し、両板リンク５３ａ，５３ｂの長手方向一端の基部は一方の分割端部４１１ｂを挟んで該分割端部４１１ｂに縦軸５４回りにｍ方向に水平回動自在に取り付けられる。両板リンク５３ａ，５３ｂの長手方向他端の先端側どうし間には、両板リンク５３ａ，５３ｂとは別体に又は一体に形成されるナット部材５５が配設される。また両板リンク５３ａ，５３ｂ間であって一方の分割端部４１１ｂとナット部材５５との間に対応する箇所には両板リンク５３ａ，５３ｂの短手方向に貫通する貫通口５６が形成される。この貫通口５６は、両板リンク５３ａ，５３ｂが縦軸５４回りに水平回動するに伴い他方の分割端部４１２ｂに対し係脱可能に挿入係合されるように形成している。
【００２４】
図４に示すように、ナット部材５５の雌ねじ５５ａには、両板リンク５３ａ，５３ｂの先端側どうし間に板リンク５３ａ，５３ｂの長手方向に平行に配される台座締付用ボルト５７が他方の分割端部４１２ｂに向けてｎ方向に進退可能に螺合される。この台座締付用ボルト５７は締付け方向に回転させることにより先端部５７ａが他方の分割端部４１２ｂの分割面とは反対側の背面に当接する。
【００２５】
次に、シャッター１９の取付け要領について説明する。まず、係脱手段４２の両板リンク５３ａ，５３ｂ間の貫通口５６を分割端部４１２ｂから離脱させたうえで一対の分割台座４１１，４１２をヒンジ部材４６回りに水平回動させて開き、分割台座４１１，４１２の内径部４５を穿孔操作口９の外周壁２８の台座係合溝４４に合わせて分割台座４１１，４１２を閉じることにより内径部４５を台座係合溝４４に嵌め込み係合させる。そして、両板リンク５３ａ，５３ｂを縦軸５４回りに水平回動させて貫通口５６を分割台座４１２の分割端部４１２ｂに対し挿入係合させると、分割台座４１１，４１２の内径部４５が台座係合溝４４に嵌め込み係合した状態が維持される。
【００２６】
次いで、図３に示すように、穿孔操作口９の外周壁２８の上端部にシャッター１９を所定向きにして載置する。その際、外周壁２８の上端外周面と、この上端外周面に嵌まり込むシャッター１９の底側の凹部５８との間にＯリング等のシールリング５９が介在される。次いで、シャッター１９の張出部３０の真下に台座４１の張出部５１が位置するように台座４１を穿孔操作口９の外周壁３８回りに回転させて上下の張出部３０，５１どうしを一致させる。しかる後、台座締付用ボルト５７を本締めして該ボルト５７の先端部５７ａを分割台座４１２の分割端部４１２ｂに強く押圧当接させると、台座４１は更に縮径されて内径部４５を穿孔操作口９の台座係合溝４４内により深く係合固定させることができる。
【００２７】
最後に、分割台座４１１，４１２の各張出部５１に備えた植設ボルトなど締結部材５２に、シャッター１９の張出部３０の締結孔３１を通すとともに該締結部材５２の上端部に蝶ナット６０を締付けることによって、シャッター１９は穿孔操作口９の開口上端部に台座４１と平行に近接配置するよう安定よく強固に固定される。その際、台座締付け用ボルト５７の締付けが少々緩んでいても、両板リンク５３ａ，５３ｂ間の貫通口５６が分割台座４１２の分割端部４１２ｂに挿入係合していることで台座４１はこれの内径部４５が外周壁２８の台座係合溝４４に嵌まり込み係合して外周壁２８上に上方及び下方の両方向に移動が阻止される状態が維持されている。したがって、台座４１にシャッター１９を締結部材５２及び蝶ナット６０で締付け固定するときに、台座４１が台座係合溝４４から外れることが無く、台座４１へのシャッター１９の締付け固定作業が容易に行える。なお、必要に応じて、締結部材５２の蝶ナット６０より突出する上端部には抜止めワッシャ６１をキャップねじ６２で止め付ける。
【００２８】
このように台座４１上にシャッター１９を固定した後は、上述した従来の場合と同様に、図１のようにホールソー１０をシャッター１９の上にセットするがこのセット状態時や、またはそのセット後に図２のようにシャッター１９のシャッター板２０を開いたうえでホールソー１０を元管１の垂直中立面ＨＣＬより偏心した位置で回転させながら垂直中立面ＨＣＬに平行に下降させることにより、元管１の周壁一部を切除して元管１に偏心穿孔３３を分岐管２に臨むよう形成するが、この時において台座締付用ボルト５７の締め込み不足や穿孔時の振動により台座締付用ボルト５７に緩みが発生していても、係脱手段４２の貫通口５６が分割台座４１２の分割端部４１２ｂに挿入係合していることで台座４１の内径部４５の台座係合溝４４への嵌まり込み係合状態が維持されるので、シャッター１９が受ける活管分岐継手３の内圧により台座４１やシャッター１９が活管分岐継手３から外れるようなことが無い。
【００２９】
上記実施例では、環状の台座４１が分割台座４１１，４１２に二分割される場合について説明したが、図７に示すように、台座４１は、三箇所以上の隣接する分割端部４１１ａ、４１３ａどうし、分割端部４１２ａ，４１３ｂどうし、分割端部４１１ｂ，４１２ｂどうし・・・がそれぞれ連結される三個以上の円弧状の分割台座４１１，４１２，４１３・・・により構成することもできる。この場合には、三箇所以上の連結箇所のうち、少なくとも一つの連結箇所において隣接する分割端部４１１ａ，４１３ａどうしが上記ヒンジ部材４６と同じヒンジ部材４６を介して水平回動自在に連結され、もう一つの連結箇所においては隣接する分割端部４１１ｂ，４１２ｂどうしが上記係脱手段４２を介して分離可能に連結される。余の連結箇所では隣接する分割端部４１２ａ，４１３ｂどうしがヒンジ部材４６又は係脱手段４２で連結することになる。
【００３０】
本発明におけるシャッター取付装置は、上記実施例のような偏心穿孔を行う活管分岐継手に限定されるものではなく、他の穿孔を行う活管分岐にも同様に適用できることは言うまでもない。
【図面の簡単な説明】
【００３１】
【図１】本発明の一実施例の活管分岐継手におけるシャッター取付装置をホールソーをセットした状態で示す縦断正面図である。
【図２】図１におけるシャッター取付装置をホールソーにより元管に穿孔を形成した終了直後の状態で示す縦断正面図である。
【図３】図１の活管分岐継手の穿孔操作口への台座、シャッターの取付け状態を示す縦断正面図である。
【図４】図３におけるＡ−Ａ線断面図である。
【図５】図４におけるＢ−Ｂ線断面図である。
【図６】図４におけるＣ矢視図である。
【図７】他の実施例を示す台座の平面図である。
【図８】従来例の活管分岐継手にホールソーをセットした状態の縦断正面図である。
【図９】図８の活管分岐継手のホールソーにより元管に穿孔を形成した終了直後の状態の縦断正面図である。
【図１０】図８の活管分岐継手の穿孔操作口へのシャッターの取付け状態を示す縦断正面図である。
【図１１】図８の活管分岐継手の穿孔操作口へのシャッターの取付け状態を示す縦断側面図である。
【図１２】図８の活管分岐継手の台座の平面図である。
【符号の説明】
【００３２】
１  元管
２  分岐管
３  活管分岐継手
８  分岐管接続口
９  穿孔操作口
１０  ホールソー
１９  シャッター
２８  外周壁
３０  シャッターの張出部
３３  偏心穿孔
４１  台座
４１１，４１２，４１３  分割台座
４２  係脱手段
４４  台座係合溝
４５  内径部
５１  台座の張出部
５２  締結部材
５３ａ，５３ｂ  板リンク
５４  縦軸
５５  ナット部材
５６  貫通口
５７  台座締付用ボルト
【図１】
2006283947.tif 000003
【図２】
2006283947.tif 000004
【図３】
2006283947.tif 000005
【図４】
2006283947.tif 000006
【図５】
2006283947.tif 000007
【図６】
2006283947.tif 000008
【図７】
2006283947.tif 000009
【図８】
2006283947.tif 000010
【図９】
2006283947.tif 000011
【図１０】
2006283947.tif 000012
【図１１】
2006283947.tif 000013
【図１２】
2006283947.tif 000014